(57)【要約】【課題】リップ摺動部近傍のオイルがスラッジとなってリップ摺動部に固着するのを抑制し、もってシールリップの耐久性およびシール性を向上させる。【解決手段】軸３１の周面に摺動自在に密接するシールリップ５を有するオイルシール１において、シールリップ５のオイル側Ａに位置して補助リップ１１を設け、補助リップ１１に、シールリップ５の摺動部５ａにオイルを供給するためのポンピングネジ部１２と、供給したオイルを排出するための切欠状の排出口１３とを設け、ネジ部１２のポンピング作用によってオイルを循環させる。【選択図】図１
2009052705.tif 000002
【特許請求の範囲】
【請求項１】
軸の周面に摺動自在に密接するシールリップを有するオイルシールにおいて、
前記シールリップのオイル側に位置して補助リップを設け、
前記補助リップに、前記シールリップの摺動部にオイルを供給するためのポンピングネジ部と、供給したオイルを排出するための切欠状の排出口とを設け、
前記ネジ部のポンピング作用によってオイルを循環させることを特徴とするオイルシール。
【請求項２】
軸の周面に摺動自在に密接するシールリップを有するオイルシールにおいて、
前記シールリップのオイル側に位置して補助リップを設け、
前記補助リップに、前記シールリップの摺動部にオイルを供給するためのポンピングネジ部と、供給したオイルを排出するためのポンピングネジ部および切欠状の排出口とを設け、
前記ネジ部のポンピング作用によってオイルを循環させることを特徴とするオイルシール。
【請求項３】
請求項１または２記載のオイルシールにおいて、
補助リップは、シールリップの先端部に一体成形されていることを特徴とするオイルシール。
【請求項４】
請求項１または２記載のオイルシールにおいて、
補助リップは、シールリップを設けたオイルシール本体に嵌合される嵌合部材に設けられていることを特徴とするオイルシール。
【請求項５】
請求項４記載のオイルシールにおいて、
嵌合部材に設けられた補助リップは、大気側から軸を挿入するときにリップめくれが生じないようにオイル側に向けて設けられ、このオイル側に向けて設けられた補助リップの大気側斜面にポンピングネジ部が設けられていることを特徴とするオイルシール。
【請求項６】
請求項４記載のオイルシールにおいて、
嵌合部材に設けられた補助リップは、オイル側から軸を挿入するときにリップめくれが生じないように大気側に向けて設けられ、この大気側に向けて設けられた補助リップのオイル側斜面にポンピングネジ部が設けられていることを特徴とするオイルシール。
【請求項７】
請求項１ないし６の何れかに記載したオイルシールにおいて、
補助リップは軸に対して非接触で、軸に対して近接配置されていることを特徴とするオイルシール。
【発明の詳細な説明】
【技術分野】
【０００１】
本発明は、密封装置の一種であるオイルシールに関するものである。本発明のオイルシールは例えば自動車用駆動系シールとして用いられるが、その用途は特に限定されるものではない。
【背景技術】
【０００２】
従来から図７に示すように、ハウジング５１の軸孔５２内周に装着されるオイルシール５３であって、軸５４の周面に摺動自在に密接するシールリップ５５を有するオイルシール５３が知られている。
【０００３】
しかしながらこのオイルシール５３は、シールリップ５５の摺動部５５ａにオイルが十分に供給されない、あるいはオイルの温度が高いなどの場合に、リップ摺動部５５ａ近傍のオイルがスラッジとなってリップ摺動部５５ａに固着してしまうことがあり、これを原因としてリップ摺動部５５ａが破損してオイル漏れに至るケースがある。また、熱的影響によりリップ摺動部５５ａに焼けやクラックなどが発生することもある。
【０００４】
【特許文献１】特開２００３−９７７２６号公報
【発明の開示】
【発明が解決しようとする課題】
【０００５】
本発明は以上の点に鑑みて、リップ摺動部近傍のオイルがスラッジとなってリップ摺動部に固着するのを抑制することができ、もってシールリップの耐久性およびシール性を向上させることが可能なオイルシールを提供することを目的とする。
【課題を解決するための手段】
【０００６】
上記目的を達成するため、本発明の請求項１によるオイルシールは、軸の周面に摺動自在に密接するシールリップを有するオイルシールにおいて、前記シールリップのオイル側に位置して補助リップを設け、前記補助リップに、前記シールリップの摺動部にオイルを供給するためのポンピングネジ部と、供給したオイルを排出するための切欠状の排出口とを設け、前記ネジ部のポンピング作用によってオイルを循環させることを特徴とするものである。
【０００７】
また、本発明の請求項２によるオイルシールは、軸の周面に摺動自在に密接するシールリップを有するオイルシールにおいて、前記シールリップのオイル側に位置して補助リップを設け、前記補助リップに、前記シールリップの摺動部にオイルを供給するためのポンピングネジ部と、供給したオイルを排出するためのポンピングネジ部および切欠状の排出口とを設け、前記ネジ部のポンピング作用によってオイルを循環させることを特徴とするものである。
【０００８】
また、本発明の請求項３によるオイルシールは、上記した請求項１または２記載のオイルシールにおいて、補助リップは、シールリップの先端部に一体成形されていることを特徴とするものである。
【０００９】
また、本発明の請求項４によるオイルシールは、上記した請求項１または２記載のオイルシールにおいて、補助リップは、シールリップを設けたオイルシール本体に嵌合される嵌合部材に設けられていることを特徴とするものである。
【００１０】
また、本発明の請求項５によるオイルシールは、上記した請求項４記載のオイルシールにおいて、嵌合部材に設けられた補助リップは、大気側から軸を挿入するときにリップめくれが生じないようにオイル側に向けて設けられ、このオイル側に向けて設けられた補助リップの大気側斜面にポンピングネジ部が設けられていることを特徴とするものである。
【００１１】
また、本発明の請求項６によるオイルシールは、上記した請求項４記載のオイルシールにおいて、嵌合部材に設けられた補助リップは、オイル側から軸を挿入するときにリップめくれが生じないように大気側に向けて設けられ、この大気側に向けて設けられた補助リップのオイル側斜面にポンピングネジ部が設けられていることを特徴とするものである。
【００１２】
更にまた、本発明の請求項７によるオイルシールは、上記した請求項１ないし６の何れかに記載したオイルシールにおいて、補助リップは軸に対して非接触で、軸に対して近接配置されていることを特徴とするものである。
【００１３】
上記構成を有する本発明の請求項１によるオイルシールにおいては、シールリップのオイル側に補助リップが設けられ、この補助リップに、シールリップの摺動部にオイルを供給するためのポンピングネジ部と、供給したオイルを排出するための切欠状の排出口とが設けられ、ネジ部のポンピング作用によってオイルを循環させるものとされている。したがって軸の回転時、オイルは絶えず循環することからスラッジ化することがなく、また循環するオイルによってシールリップの摺動部を冷却することも可能となる。
【００１４】
請求項２によるオイルシールは、請求項１に対して、循環するオイルの排出性を高めたものであって、すなわち構成要素として、供給したオイルを排出するためのポンピングネジ部が新たに追加されている。したがってオイルの供給時のみでなく排出時にもネジ部によるポンピング作用が発揮される。
【００１５】
補助リップは、シールリップの先端部に一体成形され、あるいはシールリップを設けたオイルシール本体に嵌合される嵌合部材に設けられ、何れの場合もその機能からして、シールリップのオイル側に配置されるものである。
【００１６】
また、この新たに追加される補助リップは、シール作用を奏するものではないことから、そのリップ端を必ずしもオイル側に向ける必要はなく、これを利用して軸挿入時のリップめくれ現象に対する対策とすることが考えられる。
【００１７】
すなわち、大気側から軸を挿入するときは、補助リップはこれをオイル側に向けて配置し（軸の挿入方向とリップ端の向きを一致させる）、これによりリップめくれが生じないようにする。この場合、軸の周面に対面するのは補助リップの大気側斜面になることから、ここにポンピングネジ部を設けることになる。
【００１８】
また反対に、オイル側から軸を挿入するときは、補助リップはこれを大気側に向けて配置し（軸の挿入方向とリップ端の向きを一致させる）、これによりリップめくれが生じないようにする。この場合、軸の周面に対面するのは補助リップのオイル側斜面になることから、ここにポンピングネジ部を設けることになる。
【００１９】
尚、リップめくれとは、リップ内周に軸方向一方から軸を挿入するときに、軸に押されてリップ端の向きが軸方向に反転してしまうことを云う。
【００２０】
また、軸が高速で回転するときは、ネジ部は軸に対して非接触であってもポンピング作用を発揮することから、補助リップはこれを軸に対して非接触の設定とすることも考えられる。
【発明の効果】
【００２１】
本発明は、以下の効果を奏する。
【００２２】
すなわち、本発明の請求項１によるオイルシールにおいては上記したように、シールリップのオイル側に補助リップが設けられ、この補助リップに、シールリップの摺動部にオイルを供給するためのポンピングネジ部と、供給したオイルを排出するための切欠状の排出口とが設けられ、ネジ部のポンピング作用によってオイルを循環させるものとされている。したがって軸の回転時、オイルは絶えず循環することからスラッジ化することがなく、また循環するオイルによってシールリップの摺動部を冷却することも可能とされている。したがってオイルのスラッジ化によりシールリップの摺動部が破損するのを抑制することができ、また摺動発熱等の熱的影響によってシールリップの摺動部に焼けやクラックなどが発生するのを抑制することができる。
【００２３】
また、本発明の請求項２によるオイルシールにおいては上記したように、シールリップのオイル側に補助リップが設けられ、この補助リップに、シールリップの摺動部にオイルを供給するためのポンピングネジ部と、供給したオイルを排出するためのポンピングネジ部および切欠状の排出口とが設けられ、ネジ部のポンピング作用によってオイルを循環させるものとされている。したがって軸の回転時、オイルは絶えず循環することからスラッジ化することがなく、また循環するオイルによってシールリップの摺動部を冷却することも可能となる。したがってオイルのスラッジ化によりシールリップの摺動部が破損するのを抑制することができ、また摺動発熱等の熱的影響によってシールリップの摺動部に焼けやクラックなどが発生するのを抑制することができる。また、オイルの供給時のみでなく排出時にもネジ部によるポンピング作用が発揮されることから、請求項１対比でオイルの排出性ないし循環性が一層高められている。
【００２４】
また、補助リップをシールリップの先端部に一体成形する場合には、オイルシールの部品点数が増加しないことから、オイルシールの製造・組立てに格段の手間がかかることがない。また、補助リップをシールリップを設けたオイルシール本体に嵌合される嵌合部材に設ける場合には、そのリップ端の向きを軸挿入方向と合致させることによりリップめくれが発生するのを抑制することができる。また、補助リップを軸に対して非接触とする場合には、その摺動摩耗が発生するのを抑制することができ、これも補助リップがシール作用を奏するものではないことを理由とするメリットのひとつである。
【発明を実施するための最良の形態】
【００２５】
尚、本発明には、以下の実施形態が含まれる。
（１）シール摺動面に潤滑油が十分に供給されない、油温が高い場合などにリップ先端部の油がスラッジとなってリップに固着し、漏れに至るケースがある。また、熱的影響によりリップ先端部に焼けやクラックが発生する場合がある。
（２）上記対策として、リップ先端部の油を循環させることでリップ先端温度の低減を図り、パッキン材の熱的劣化、油のスラッジ化を抑制する。
（３）実施形態１として、軸回転によって油がリップ先端部へと移動するようにネジをつけた補助リップをシールリップの油側に設け、新しい油をリップ先端部へ供給し、リップ先端部の冷却を行なう。リップには切り欠きを設けており、古い油は切り欠きより排出されることで、劣化した油がシールリップ先端近傍に留まり、スラッジとなることを抑えることができる。
（４）実施形態２としては、上記実施形態１に対し、油の排出性を高めた仕様とする。すなわち、シールリップへ油を供給するネジと排出する方向のネジの両方を設けて、油の循環性を高めることで、リップ摺動発熱によって劣化した油を速やかに排出し、リップ先端へのスラッジ付着を抑える。
（５）補助リップによる摺動発熱上昇を低く抑えるため、補助リップはバネなしのシールリップよりもリップ緊迫力は低くなるよう設定する。
（６）周速が早い場合、非接触であってもネジ効果が発生するため、補助リップは非接触の設定であっても良い。
【実施例】
【００２６】
つぎに本発明の実施例を図面にしたがって説明する。
【００２７】
第一実施例（請求項１および３関連）・・・
図１は、本発明の第一実施例に係るオイルシールの要部断面を示している。
【００２８】
当該実施例に係るオイルシール１は、軸３１の周面に摺動自在に密接するシールリップ５を有するオイルシール１であって、ゴム状弾性体製のシールリップ５のオイル側Ａに位置して同じくゴム状弾性体製の補助リップ１１が設けられ、この補助リップ１１に、シールリップ５の摺動部５ａにオイルを供給するためのポンピングネジ部１２と、供給したオイルを排出するための切欠状の排出口１３とが設けられ、ポンピングネジ部１２のポンピング作用によってオイルを循環させる構成とされている。補助リップ１１は、シールリップ５の先端部に一体成形されている。
【００２９】
オイルシール１全体としては、図示しないハウジングの軸孔内周に嵌合される取付部２に径方向部３を介してシール部４が設けられ、このシール部４にシールリップ（主リップ）５がオイル側Ａに向けて設けられるとともにダストリップ（副リップ）６が大気側Ｂに向けて設けられている。取付部２および径方向部３には、金属製の補強環７が設けられている。シールリップ５には、軸に対する緊迫力を増大するためにガータースプリング８が嵌着されている。
【００３０】
補助リップ１１は、シールリップ５のオイル側端部にオイル側Ａに向けて一体成形され、シールリップ５と比較して随分と小さな髭（ひげ）状に成形されており、この補助リップ１１の大気側斜面に、シールリップ５の摺動部５ａにオイルを供給するためのポンピングネジ部１２が全周に亙って設けられている。ポンピングネジ部１２は、スパイラル状の突起または溝が円周上に多数並べられた構造よりなり、シールリップ５の摺動部５ａにオイルを供給すると云うその機能からして、軸３１の回転時にオイル側Ａのオイルを補助リップ１１およびシールリップ５間の中間室１４へ吸引・導入するものであって、これを可能とするため、ネジ部１２のスパイラルの向きは、補助リップ１１の基端部から先端部へかけてスパイラルが軸３１の回転方向Ｒの後方へ傾斜する向きに設定されている。スパイラル状の突起または溝はそれぞれ補助リップ１１の先端部に達している。また補助リップ１１の先端部には切欠状の排出口１３が円周上に所要数（複数）設けられているので、中間室１４へ導入されたオイルはこの排出口１３からオイル側Ａへと戻されることになる。
【００３１】
上記構成のオイルシール１においては、シールリップ５のオイル側Ａに位置して補助リップ１１が設けられ、この補助リップ１１に、シールリップ５の摺動部５ａにオイルを供給するためのポンピングネジ部１２と、供給したオイルを排出するための切欠状の排出口１３とが設けられ、ポンピングネジ部１２のポンピング作用によってオイルを循環させるものとされているために、軸３１の回転時、オイルは絶えずオイル側Ａからポンピングネジ部１２を経由して中間室１４へ、中間室１４から排出口１３を経由してオイル側Ａへと循環し、シールリップ５の摺動部５ａ近傍にスラッジとして留まることがなく、また循環するオイルによってシールリップ５の摺動部５ａを冷却することも可能とされている。したがってオイルのスラッジ化によりシールリップ５の摺動部５ａが破損するのを抑制することができ、また摺動発熱等の熱的影響によってシールリップ５の摺動部５ａに焼けやクラックなどが発生するのを抑制することができる。
【００３２】
また、補助リップ１１はシールリップ５に一体成形されているために、オイルシール１の部品点数が増加することはなく、よってオイルシール１の製造・組立てに格段の手間がかかることもない。
【００３３】
第二実施例（請求項２および３関連）・・・
図２は、本発明の第二実施例に係るオイルシールの要部断面を示している。
【００３４】
当該実施例に係るオイルシール１は、軸（図示せず）の周面に摺動自在に密接するシールリップ５を有するオイルシール１であって、ゴム状弾性体製のシールリップ５のオイル側Ａに位置して同じくゴム状弾性体製の補助リップ１１が設けられ、この補助リップ１１に、シールリップ５の摺動部５ａにオイルを供給するためのポンピングネジ部１２と、供給したオイルを排出するためのポンピングネジ部１６および切欠状の排出口１３とが設けられ、両ポンピングネジ部１２，１６のポンピング作用によってオイルを循環させる構成とされている。補助リップ１１は、シールリップ５の先端部に一体成形されている。
【００３５】
オイルシール１全体としては、図示しないハウジングの軸孔内周に嵌合される取付部２に径方向部３を介してシール部４が設けられ、このシール部４にシールリップ（主リップ）５がオイル側Ａに向けて設けられるとともにダストリップ（副リップ）６が大気側Ｂに向けて設けられている。取付部２および径方向部３には、金属製の補強環７が設けられている。シールリップ５には、軸に対する緊迫力を増大するためにガータースプリング８が嵌着されている。
【００３６】
補助リップ１１は、シールリップ５のオイル側端部にオイル側Ａに向けて一体成形され、シールリップ５と比較して随分と小さな髭状に成形されており、この補助リップ１１の大気側斜面に、シールリップ５の摺動部５ａにオイルを供給するためのポンピングネジ部１２が円周上一部において設けられている。ポンピングネジ部１２は、スパイラル状の突起または溝が円周上に多数並べられた構造よりなり、シールリップ５の摺動部５ａにオイルを供給すると云うその機能からして、軸の回転時にオイル側Ａのオイルを補助リップ１１およびシールリップ５間の中間室１４へ吸引・導入するものであって、これを可能とするため、ネジ部１２のスパイラルの向きは、補助リップ１１の基端部から先端部へかけてスパイラルが軸の回転方向の後方へ傾斜する向きに設定されている。スパイラル状の突起または溝はそれぞれ補助リップ１１の先端部に達している。
【００３７】
また、補助リップ１１の大気側斜面には併せて、シールリップ５の摺動部５ａに供給したオイルを排出するためのポンピングネジ部１６が円周上一部において設けられている。ポンピングネジ部１６は、スパイラル状の突起または溝が円周上多数並べられた構造よりなり、シールリップ５の摺動部５ａに供給したオイルを排出すると云うその機能からして、軸の回転時に補助リップ１１およびシールリップ５間の中間室１４のオイルをオイル側Ａへ排出するものであって、これを可能とするため、ネジ部１６のスパイラルの向きは、補助リップ１１の基端部から先端部へかけてスパイラルが軸の回転方向の前方へ傾斜する向きに設定されている。スパイラル状の突起または溝はそれぞれ補助リップ１１の先端部に達している。
【００３８】
上記オイル供給用のポンピングネジ部１２とオイル排出用のポンピングネジ部１６は、それぞれ複数ないし多数の突起または溝を１グループとして、グループ毎に円周上交互に設けられるが、補助リップ１１の先端部には併せて切欠状の排出口１３が円周上に所要数（複数）設けられているので、この切欠状の排出口１３を境として両ポンピングネジ部１２，１６を円周上交互に設けることにしても良い（例えば、切欠状の排出口１３を円周上８等配で設け、円周上に順に並んだ第一排出口と第二排出口の間、第三排出口と第四排出口の間、第五排出口と第六排出口の間および第七排出口と第八排出口の間の各領域にそれぞれオイル供給用のポンピングネジ部１２を設け、第二排出口と第三排出口の間、第四排出口と第五排出口の間、第六排出口と第七排出口の間および第八排出口と第一排出口の間の各領域にそれぞれオイル排出用のポンピングネジ部１６を設ける）。
【００３９】
上記構成のオイルシール１においては、シールリップ５のオイル側Ａに位置して補助リップ１１が設けられ、この補助リップ１１に、シールリップ５の摺動部５ａにオイルを供給するためのポンピングネジ部１２と、供給したオイルを排出するためのポンピングネジ部１６および切欠状の排出口１３とが設けられ、両ポンピングネジ部１２，１６のポンピング作用によってオイルを循環させるものとされているために、軸の回転時、オイルは絶えずオイル側Ａからポンピングネジ部１２を経由して中間室１４へ、中間室１４からポンピングネジ部１６および排出口１３を経由してオイル側Ａへと循環し、シールリップ５の摺動部５ａ近傍にスラッジとして留まることがなく、また循環するオイルによってシールリップ５の摺動部５ａを冷却することも可能とされている。したがってオイルのスラッジ化によりシールリップ５の摺動部５ａが破損するのを抑制することができ、また摺動発熱等の熱的影響によってシールリップ５の摺動部５ａに焼けやクラックなどが発生するのを抑制することができる。
【００４０】
また、補助リップ１１はシールリップ５に一体成形されているために、オイルシール１の部品点数が増加することはなく、よってオイルシール１の製造・組立てに格段の手間がかかることもない。
【００４１】
第三実施例（請求項１、４および５関連）・・・
図３は、本発明の第三実施例に係るオイルシールの要部断面を示している。
【００４２】
当該実施例に係るオイルシール１は、軸（図示せず）の周面に摺動自在に密接するシールリップ５を有するオイルシール１であって、ゴム状弾性体製のシールリップ５のオイル側Ａに位置して同じくゴム状弾性体製の補助リップ１１が設けられ、この補助リップ１１に、シールリップ５の摺動部５ａにオイルを供給するためのポンピングネジ部１２と、供給したオイルを排出するための切欠状の排出口１３とが設けられ、ポンピングネジ部１２のポンピング作用によってオイルを循環させる構成とされている。補助リップ１１は、シールリップ５を設けたオイルシール本体２１に嵌合される嵌合部材２２に設けられている。嵌合部材２２に設けられた補助リップ１１は、大気側Ｂから軸を挿入するときにリップめくれが生じないようにオイル側Ａに向けて設けられ、このオイル側Ａに向けて設けられた補助リップ１１の大気側斜面にポンピングネジ部１２が設けられている。
【００４３】
オイルシール本体２１は、図示しないハウジングの軸孔内周に嵌合される取付部２に径方向部３を介してシール部４が設けられ、このシール部４にシールリップ（主リップ）５がオイル側Ａに向けて設けられるとともにダストリップ（副リップ）６が大気側Ｂに向けて設けられている。取付部２および径方向部３には、金属製の補強環７が設けられている。シールリップ５には、軸に対する緊迫力を増大するためにガータースプリング８が嵌着されている。
【００４４】
補助リップ１１を設けた嵌合部材２２は、オイルシール本体２１の取付部２の内周面に嵌合される金属製の取付環２３を有し、この取付環２３に補助リップ１１が被着（加硫接着）されている。補助リップ１１は、取付環２３の内周端部にオイル側Ａに向けて設けられ、この補助リップ１１の大気側斜面に、シールリップ５の摺動部５ａにオイルを供給するためのポンピングネジ部１２が全周に亙って設けられている。ポンピングネジ部１２は、スパイラル状の突起または溝が円周上に多数並べられた構造よりなり、シールリップ５の摺動部５ａにオイルを供給すると云うその機能からして、軸の回転時にオイル側Ａのオイルを補助リップ１１およびシールリップ５間の中間室１４へ吸引・導入するものであって、これを可能とするため、ネジ部１２のスパイラルの向きは、補助リップ１１の基端部から先端部へかけてスパイラルが軸の回転方向の後方へ傾斜する向きに設定されている。スパイラル状の突起または溝はそれぞれ補助リップ１１の先端部に達している。また補助リップ１１の先端部には切欠状の排出口１３が円周上に所要数（複数）設けられているので、中間室１４へ導入されたオイルはこの排出口１３からオイル側Ａへと戻されることになる。
【００４５】
上記構成のオイルシール１においては、シールリップ５のオイル側Ａに位置して補助リップ１１が設けられ、この補助リップ１１に、シールリップ５の摺動部５ａにオイルを供給するためのポンピングネジ部１２と、供給したオイルを排出するための切欠状の排出口１３とが設けられ、ポンピングネジ部１２のポンピング作用によってオイルを循環させるものとされているために、軸の回転時、オイルは絶えずオイル側Ａからポンピングネジ部１２を経由して中間室１４へ、中間室１４から排出口１３を経由してオイル側Ａへと循環し、シールリップ５の摺動部５ａ近傍にスラッジとして留まることがなく、また循環するオイルによってシールリップ５の摺動部５ａを冷却することも可能とされている。したがってオイルのスラッジ化によりシールリップ５の摺動部５ａが破損するのを抑制することができ、また摺動発熱等の熱的影響によってシールリップ５の摺動部５ａに焼けやクラックなどが発生するのを抑制することができる。
【００４６】
また、嵌合部材２２に設けられた補助リップ１１がオイル側Ａに向けて設けられていることから、大気側Ｂから軸を挿入するときにリップめくれが生じるのを未然に抑制することができる。
【００４７】
第四実施例（請求項２、４および５関連）・・・
図４は、本発明の第四実施例に係るオイルシールの要部断面を示している。
【００４８】
当該実施例に係るオイルシール１は、軸（図示せず）の周面に摺動自在に密接するシールリップ５を有するオイルシール１であって、ゴム状弾性体製のシールリップ５のオイル側Ａに位置して同じくゴム状弾性体製の補助リップ１１が設けられ、この補助リップ１１に、シールリップ５の摺動部５ａにオイルを供給するためのポンピングネジ部１２と、供給したオイルを排出するためのポンピングネジ部１６および切欠状の排出口１３とが設けられ、両ポンピングネジ部１２，１６のポンピング作用によってオイルを循環させる構成とされている。補助リップ１１は、シールリップ５を設けたオイルシール本体２１に嵌合される嵌合部材２２に設けられている。嵌合部材２２に設けられた補助リップ１１は、大気側Ｂから軸を挿入するときにリップめくれが生じないようにオイル側Ａに向けて設けられ、このオイル側Ａに向けて設けられた補助リップ１１の大気側斜面に両ポンピングネジ部１２，１６が設けられている。
【００４９】
オイルシール本体２１は、図示しないハウジングの軸孔内周に嵌合される取付部２に径方向部３を介してシール部４が設けられ、このシール部４にシールリップ（主リップ）５がオイル側Ａに向けて設けられるとともにダストリップ（副リップ）６が大気側Ｂに向けて設けられている。取付部２および径方向部３には、金属製の補強環７が設けられている。シールリップ５には、軸に対する緊迫力を増大するためにガータースプリング８が嵌着されている。
【００５０】
補助リップ１１を設けた嵌合部材２２は、オイルシール本体２１の取付部２の内周面に嵌合される金属製の取付環２３を有し、この取付環２３に補助リップ１１が被着（加硫接着）されている。補助リップ１１は、取付環２３の内周端部にオイル側Ａに向けて設けられ、この補助リップ１１の大気側斜面に、シールリップ５の摺動部５ａにオイルを供給するためのポンピングネジ部１２が円周上一部において設けられている。ポンピングネジ部１２は、スパイラル状の突起または溝が円周上に多数並べられた構造よりなり、シールリップ５の摺動部５ａにオイルを供給すると云うその機能からして、軸の回転時にオイル側Ａのオイルを補助リップ１１およびシールリップ５間の中間室１４へ吸引・導入するものであって、これを可能とするため、ネジ部１２のスパイラルの向きは、補助リップ１１の基端部から先端部へかけてスパイラルが軸の回転方向の後方へ傾斜する向きに設定されている。スパイラル状の突起または溝はそれぞれ補助リップ１１の先端部に達している。
【００５１】
また、補助リップ１１の大気側斜面には併せて、シールリップ５の摺動部５ａに供給したオイルを排出するためのポンピングネジ部１６が円周上一部において設けられている。ポンピングネジ部１６は、スパイラル状の突起または溝が円周上多数並べられた構造よりなり、シールリップ５の摺動部５ａに供給したオイルを排出すると云うその機能からして、軸の回転時に補助リップ１１およびシールリップ５間の中間室１４のオイルをオイル側Ａへ排出するものであって、これを可能とするため、ネジ部１６のスパイラルの向きは、補助リップ１１の基端部から先端部へかけてスパイラルが軸の回転方向の前方へ傾斜する向きに設定されている。スパイラル状の突起または溝はそれぞれ補助リップ１１の先端部に達している。
【００５２】
上記オイル供給用のポンピングネジ部１２とオイル排出用のポンピングネジ部１６は、それぞれ複数ないし多数の突起または溝を１グループとして、グループ毎に円周上交互に設けられるが、補助リップ１１の先端部には併せて切欠状の排出口１３が円周上に所要数（複数）設けられているので、この切欠状の排出口１３を境として両ポンピングネジ部１２，１６を円周上交互に設けることにしても良い。
【００５３】
上記構成のオイルシール１においては、シールリップ５のオイル側Ａに位置して補助リップ１１が設けられ、この補助リップ１１に、シールリップ５の摺動部５ａにオイルを供給するためのポンピングネジ部１２と、供給したオイルを排出するためのポンピングネジ部１６および切欠状の排出口１３とが設けられ、両ポンピングネジ部１２，１６のポンピング作用によってオイルを循環させるものとされているために、軸の回転時、オイルは絶えずオイル側Ａからポンピングネジ部１２を経由して中間室１４へ、中間室１４からポンピングネジ部１６および排出口１３を経由してオイル側Ａへと循環し、シールリップ５の摺動部５ａ近傍にスラッジとして留まることがなく、また循環するオイルによってシールリップ５の摺動部５ａを冷却することも可能とされている。したがってオイルのスラッジ化によりシールリップ５の摺動部５ａが破損するのを抑制することができ、また摺動発熱等の熱的影響によってシールリップ５の摺動部５ａに焼けやクラックなどが発生するのを抑制することができる。
【００５４】
また、嵌合部材２２に設けられた補助リップ１１がオイル側Ａに向けて設けられていることから、大気側Ｂから軸を挿入するときにリップめくれが生じるのを未然に抑制することができる。
【００５５】
第五実施例（請求項１、４および６関連）・・・
図５は、本発明の第五実施例に係るオイルシールの要部断面を示している。
【００５６】
当該実施例に係るオイルシール１は、軸（図示せず）の周面に摺動自在に密接するシールリップ５を有するオイルシール１であって、ゴム状弾性体製のシールリップ５のオイル側Ａに位置して同じくゴム状弾性体製の補助リップ１１が設けられ、この補助リップ１１に、シールリップ５の摺動部５ａにオイルを供給するためのポンピングネジ部１２と、供給したオイルを排出するための切欠状の排出口１３とが設けられ、ポンピングネジ部１２のポンピング作用によってオイルを循環させる構成とされている。補助リップ１１は、シールリップ５を設けたオイルシール本体２１に嵌合される嵌合部材２２に設けられている。嵌合部材２２に設けられた補助リップ１１は、オイル側Ａから軸を挿入するときにリップめくれが生じないように大気側Ｂに向けて設けられ、この大気側Ｂに向けて設けられた補助リップ１１のオイル側斜面にポンピングネジ部１２が設けられている。
【００５７】
オイルシール本体２１は、図示しないハウジングの軸孔内周に嵌合される取付部２に径方向部３を介してシール部４が設けられ、このシール部４にシールリップ（主リップ）５がオイル側Ａに向けて設けられるとともにダストリップ（副リップ）６が大気側Ｂに向けて設けられている。取付部２および径方向部３には、金属製の補強環７が設けられている。シールリップ５には、軸に対する緊迫力を増大するためにガータースプリング８が嵌着されている。
【００５８】
補助リップ１１を設けた嵌合部材２２は、オイルシール本体２１の取付部２の内周面に嵌合される金属製の取付環２３を有し、この取付環２３に補助リップ１１が被着（加硫接着）されている。補助リップ１１は、取付環２３の内周端部に大気側Ｂに向けて設けられ、この補助リップ１１のオイル側斜面に、シールリップ５の摺動部５ａにオイルを供給するためのポンピングネジ部１２が全周に亙って設けられている。ポンピングネジ部１２は、スパイラル状の突起または溝が円周上に多数並べられた構造よりなり、シールリップ５の摺動部５ａにオイルを供給すると云うその機能からして、軸の回転時にオイル側Ａのオイルを補助リップ１１およびシールリップ５間の中間室１４へ吸引・導入するものであって、これを可能とするため、ネジ部１２のスパイラルの向きは、補助リップ１１の基端部から先端部へかけてスパイラルが軸の回転方向の前方へ傾斜する向きに設定されている。スパイラル状の突起または溝はそれぞれ補助リップ１１の先端部に達している。また補助リップ１１の先端部には切欠状の排出口１３が円周上に所要数（複数）設けられているので、中間室１４へ導入されたオイルはこの排出口１３からオイル側Ａへと戻されることになる。
【００５９】
上記構成のオイルシール１においては、シールリップ５のオイル側Ａに位置して補助リップ１１が設けられ、この補助リップ１１に、シールリップ５の摺動部５ａにオイルを供給するためのポンピングネジ部１２と、供給したオイルを排出するための切欠状の排出口１３とが設けられ、ポンピングネジ部１２のポンピング作用によってオイルを循環させるものとされているために、軸の回転時、オイルは絶えずオイル側Ａからポンピングネジ部１２を経由して中間室１４へ、中間室１４から排出口１３を経由してオイル側Ａへと循環し、シールリップ５の摺動部５ａ近傍にスラッジとして留まることがなく、また循環するオイルによってシールリップ５の摺動部５ａを冷却することも可能とされている。したがってオイルのスラッジ化によりシールリップ５の摺動部５ａが破損するのを抑制することができ、また摺動発熱等の熱的影響によってシールリップ５の摺動部５ａに焼けやクラックなどが発生するのを抑制することができる。
【００６０】
また、嵌合部材２２に設けられた補助リップ１１が大気側Ｂに向けて設けられていることから、オイル側Ａから軸を挿入するときにリップめくれが生じるのを未然に抑制することができる。
【００６１】
第六実施例（請求項２、４および６関連）・・・
図６は、本発明の第六実施例に係るオイルシールの要部断面を示している。
【００６２】
当該実施例に係るオイルシール１は、軸（図示せず）の周面に摺動自在に密接するシールリップ５を有するオイルシール１であって、ゴム状弾性体製のシールリップ５のオイル側Ａに位置して同じくゴム状弾性体製の補助リップ１１が設けられ、この補助リップ１１に、シールリップ５の摺動部５ａにオイルを供給するためのポンピングネジ部１２と、供給したオイルを排出するためのポンピングネジ部１６および切欠状の排出口１３とが設けられ、両ポンピングネジ部１２，１６のポンピング作用によってオイルを循環させる構成とされている。補助リップ１１は、シールリップ５を設けたオイルシール本体２１に嵌合される嵌合部材２２に設けられている。嵌合部材２２に設けられた補助リップ１１は、オイル側Ａから軸を挿入するときにリップめくれが生じないように大気側Ｂに向けて設けられ、この大気側Ｂに向けて設けられた補助リップ１１のオイル側斜面に両ポンピングネジ部１２，１６が設けられている。
【００６３】
オイルシール本体２１は、図示しないハウジングの軸孔内周に嵌合される取付部２に径方向部３を介してシール部４が設けられ、このシール部４にシールリップ（主リップ）５がオイル側Ａに向けて設けられるとともにダストリップ（副リップ）６が大気側Ｂに向けて設けられている。取付部２および径方向部３には、金属製の補強環７が設けられている。シールリップ５には、軸に対する緊迫力を増大するためにガータースプリング８が嵌着されている。
【００６４】
補助リップ１１を設けた嵌合部材２２は、オイルシール本体２１の取付部２の内周面に嵌合される金属製の取付環２３を有し、この取付環２３に補助リップ１１が被着（加硫接着）されている。補助リップ１１は、取付環２３の内周端部に大気側Ｂに向けて設けられ、この補助リップ１１のオイル側斜面に、シールリップ５の摺動部５ａにオイルを供給するためのポンピングネジ部１２が円周上一部において設けられている。ポンピングネジ部１２は、スパイラル状の突起または溝が円周上に多数並べられた構造よりなり、シールリップ５の摺動部５ａにオイルを供給すると云うその機能からして、軸の回転時にオイル側Ａのオイルを補助リップ１１およびシールリップ５間の中間室１４へ吸引・導入するものであって、これを可能とするため、ネジ部１２のスパイラルの向きは、補助リップ１１の基端部から先端部へかけてスパイラルが軸の回転方向の前方へ傾斜する向きに設定されている。スパイラル状の突起または溝はそれぞれ補助リップ１１の先端部に達している。
【００６５】
また、補助リップ１１のオイル側斜面には併せて、シールリップ５の摺動部５ａに供給したオイルを排出するためのポンピングネジ部１６が円周上一部において設けられている。ポンピングネジ部１６は、スパイラル状の突起または溝が円周上多数並べられた構造よりなり、シールリップ５の摺動部５ａに供給したオイルを排出すると云うその機能からして、軸の回転時に補助リップ１１およびシールリップ５間の中間室１４のオイルをオイル側Ａへ排出するものであって、これを可能とするため、ネジ部１６のスパイラルの向きは、補助リップ１１の基端部から先端部へかけてスパイラルが軸の回転方向の後方へ傾斜する向きに設定されている。スパイラル状の突起または溝はそれぞれ補助リップ１１の先端部に達している。
【００６６】
上記オイル供給用のポンピングネジ部１２とオイル排出用のポンピングネジ部１６は、それぞれ複数ないし多数の突起または溝を１グループとして、グループ毎に円周上交互に設けられるが、補助リップ１１の先端部には併せて切欠状の排出口１３が円周上に所要数（複数）設けられているので、この切欠状の排出口１３を境として両ポンピングネジ部１２，１６を円周上交互に設けることにしても良い。
【００６７】
上記構成のオイルシール１においては、シールリップ５のオイル側Ａに位置して補助リップ１１が設けられ、この補助リップ１１に、シールリップ５の摺動部５ａにオイルを供給するためのポンピングネジ部１２と、供給したオイルを排出するためのポンピングネジ部１６および切欠状の排出口１３とが設けられ、両ポンピングネジ部１２，１６のポンピング作用によってオイルを循環させるものとされているために、軸の回転時、オイルは絶えずオイル側Ａからポンピングネジ部１２を経由して中間室１４へ、中間室１４からポンピングネジ部１６および排出口１３を経由してオイル側Ａへと循環し、シールリップ５の摺動部５ａ近傍にスラッジとして留まることがなく、また循環するオイルによってシールリップ５の摺動部５ａを冷却することも可能とされている。したがってオイルのスラッジ化によりシールリップ５の摺動部５ａが破損するのを抑制することができ、また摺動発熱等の熱的影響によってシールリップ５の摺動部５ａに焼けやクラックなどが発生するのを抑制することができる。
【００６８】
また、嵌合部材２２に設けられた補助リップ１１が大気側Ｂに向けて設けられていることから、オイル側Ａから軸を挿入するときにリップめくれが生じるのを未然に抑制することができる。
【００６９】
上記第一ないし第六実施例に係るオイルシール１においては更に、以下のように構成を付加または変更することが考えられる。
【００７０】
（１）上記各実施例において、補助リップ１１は、シールリップ５およびダストリップ６と同様に作動時、軸３１の周面に摺動自在に密接するものとされているが、これに代えて、補助リップ１１を軸３１の周面に対して非接触とし、軸３１の周面に対して近接配置する。軸３１が高速で回転するときは、ポンピングネジ部１２，１６は軸３１の周面に対して非接触であっても近接配置されていればポンピング作用を発揮することから、これにより本発明所期の目的を達成し、なおかつ補助リップ１１が摺動摩耗するのを抑制することができる。
【００７１】
（２）上記各実施例におけるシールリップ５の大気側斜面に、オイル漏れを抑制すべく第三のポンピングネジ部（図示せず）を付設する。これにより上記各構成によりシールリップ５の摺動部５ａの耐久性を高め、なおかつ優れたシール性を発揮するオイルシール製品を提供することができる。
【図面の簡単な説明】
【００７２】
【図１】本発明の第一実施例に係るオイルシールの要部断面図
【図２】本発明の第二実施例に係るオイルシールの要部断面図
【図３】本発明の第三実施例に係るオイルシールの要部断面図
【図４】本発明の第四実施例に係るオイルシールの要部断面図
【図５】本発明の第五実施例に係るオイルシールの要部断面図
【図６】本発明の第六実施例に係るオイルシールの要部断面図
【図７】従来例に係るオイルシールの要部断面図
【符号の説明】
【００７３】
１  オイルシール
２  取付部
３  径方向部
４  シール部
５  シールリップ
５ａ  摺動部
６  ダストリップ
７  補強環
８  ガータースプリング
１１  補助リップ
１２，１６  ポンピングネジ部
１３  排出口
１４  中間室
２１  オイルシール本体
２２  嵌合部材
２３  取付環
３１  軸
Ａ  オイル側
Ｂ  大気側
【図１】
2009052705.tif 000003
【図２】
2009052705.tif 000004
【図３】
2009052705.tif 000005
【図４】
2009052705.tif 000006
【図５】
2009052705.tif 000007
【図６】
2009052705.tif 000008
【図７】
2009052705.tif 000009